(57)【要約】【課題】精度の高いセキュリティ管理を行えるようにした入退場管理システムを提供すること。【解決手段】固定側に配置したコントローラと、人、車両等の移動体側に配置した固有ＩＤを有する特定のタグ間の送受信を、光信号及び／又は電波にて行うことで該固有ＩＤを認証用データベースより判定して位置ＩＤ及びタグＩＤの認証を行うとともに、該認証判定と予め個人情報として記録した生体認証用データベースとに基づいた判定結果により防犯管理を行う。【選択図】図１
2006119775.tif 000002
【特許請求の範囲】
【請求項１】
固定側に配置したコントローラと、人、車両等の移動体側に配置した固有ＩＤを有する特定のタグ間の送受信を、光信号及び／又は電波にて行うことで該固有ＩＤを認証用データベースより判定して位置ＩＤ及びタグＩＤの認証を行うとともに、該認証判定と予め個人情報として記録した生体認証用データベースとに基づいた判定結果により防犯管理を行うようにしたことを特徴とする入退場管理システム。
【請求項２】
コントローラとタグ間の送受信を、光信号のみにて行うようにしたことを特徴とする請求項１記載の入退場管理システム。
【請求項３】
コントローラとタグ間の送受信を行う光信号を、自立型発光ＬＥＤにて行うようにしたことを特徴とする請求項１又は２記載の入退場管理システム。
【請求項４】
認証結果に基づいて防犯管理用の機器を操作するようにしたことを特徴とする請求項１、２又は３記載の入退場管理システム。
【発明の詳細な説明】
【技術分野】
【０００１】
本発明は、入退場管理システムに関し、特に、タグによる認証と生態認証とに基づいて判定することによりタグ及び／又はその所有者を特定し、高度のセキュリティ管理を行うようにした入退場管理システムに関するものである。
【背景技術】
【０００２】
従来、防犯を兼ねた入退場管理システムとしては、アンテナを備えたタグ受信器と人或いは車両等の移動物体に配設するタグとより構成するＲＦＩＤを、施設の出入口或いはその近傍に配設し、これによりタグを所有した許可者とタグを所有しない非許可者とを識別して施設への入退場を正確に管理するようにした入退場管理システム（特許文献１参照）が提案されている。
また、波長が異なる複数の赤外線発信装置と複数の人がそれぞれ所持した複数のタグとを組み合わせて複数の許可者及び各タグ所有者の個別的な出入り等の動向を管理するようにした入退場管理システム（特許文献２参照）が提案されている。
【０００３】
しかしながら、ＲＦＩＤを利用した上記いずれの入退場管理システムにおいても、タグ所有の有無に基づき正規の入退場者と不正入退場者との識別及び／又は入退場を管理するようにしているから、予め指定された特定の人以外の者が不正にタグを所有して入退場する場合、その不正使用或いは所有を識別することができないという問題があった。
【特許文献１】特開２００２−３３４３８２号公報
【特許文献２】特開２００３−２１６７９号公報
【発明の開示】
【発明が解決しようとする課題】
【０００４】
本発明は、上記従来の入退場管理システムの有する問題点に鑑み、精度の高いセキュリティ管理を行えるようにした入退場管理システムを提供することを目的とする。
【課題を解決するための手段】
【０００５】
上記目的を達成するため、本発明の入退場管理システムは、固定側に配置したコントローラと、人、車両等の移動体側に配置した固有ＩＤを有する特定のタグ間の送受信を、光信号及び／又は電波にて行うことで該固有ＩＤを認証用データベースより判定して位置ＩＤ及びタグＩＤの認証を行うとともに、該認証判定と予め個人情報として記録した生体認証用データベースとに基づいた判定結果により防犯管理を行うようにしたことを特徴とする。
【０００６】
この場合において、コントローラとタグ間の送受信を、光信号のみにて行うようにすることができる。
【０００７】
また、コントローラとタグ間の送受信を行う光信号を、自立型発光ＬＥＤにて行うようにすることができる。
【０００８】
また、認証結果に基づいて防犯管理用の機器を操作するようにすることができる。
【発明の効果】
【０００９】
本発明の入退場管理システムによれば、固定側に配置したコントローラと、人、車両等の移動体側に配置した固有ＩＤを有する特定のタグ間の送受信を、光信号及び／又は電波にて行うことで該固有ＩＤを認証用データベースより判定して位置ＩＤ及びタグＩＤの認証を行うとともに、該認証判定と予め個人情報として記録した生体認証用データベースとに基づいた判定結果により防犯管理を行うようにしていることから、タグを特定するとともにそのタグの所有者までも特定することができるので、予め指定された特定の人以外の者が不正にタグを所持して入退場する場合も未然に防止することができ、より高度のセキュリティ管理を行うことができる。
【００１０】
また、コントローラとタグ間の送受信を、光信号のみにて行うようにしていることから、妨害電波などにも影響を受けることなく、精度高く管理制御でき、かつ予め指定された特定の人以外の者が不正にタグを所持して入退場する場合も未然に防止することができ、より高度のセキュリティ管理を行うことができる。
【００１１】
また、コントローラとタグ間の光信号による送受信を自立型発光ＬＥＤにて行うようにすることで、１台のコントローラで多数の自立型発光ＬＥＤとの接続が可能となり、複数箇所の管理が１台のコントローラで、安価に行うことができる。
【００１２】
また、認証結果に基づいて防犯管理用の機器を操作するようにしているから、使用する防犯管理機器の種別により各種の防犯管理及び異常発生認承時の防御をより確実に行うことができる。
【発明を実施するための最良の形態】
【００１３】
以下、本発明の入退場管理システムの実施の形態を、図面に基づいて説明する。
【実施例１】
【００１４】
図１に、本発明の入退場管理システムの一実施例を示す。
本発明は、図１に示すように、工場、事務所、役所、その他の建物、構築物等固定側、特に限定されるものではないが、例えば、壁や天井面に配置するようにしたコントローラＣＴＬと、人や車両等の移動体側が所持するようにした固有ＩＤを備えたタグＴと、コントローラＣＴＬとタグＴ間の送受信を光信号及び／又は電波にて行うようにするとともに、コントローラＣＴＬに予め個人情報として記録した生体認証用データベースを接続し、コントローラＣＴＬによりこのタグＴからの受信信号を認証用データベースと、生体認証用データベースとに基づいて判定するように構成する。
また、この認証用データベースと生体認証用データベースとに基づいて判定した結果により、コントローラＣＴＬに接続した防犯管理用の各種機器を操作するようにする。
なお、必要に応じて固定側の壁や天井面に人感センサー等の侵入検知センサーＰＳを配設することができる。
【００１５】
この入退場管理システムにおけるコントローラＣＴＬは、特に限定されるものではないが、例えば、図１に示すロックフロー図のように、位置ＩＤ生成回路１と認証判定回路２よりなる計算機ＣＰＵと、外部Ｉ／Ｏ制御回路３と、前記位置ＩＤ生成回路１にて形成された位置ＩＤの信号を光信号に変換するようにして位置ＩＤ生成回路１に接続する光信号変換回路４と、タグＩＤと位置ＩＤをキーにデータベースから認証結果を取得するよう認証判定回路２に接続した認証用データベース５と、認証判定回路２と外部Ｉ／Ｏ制御回路３との間には、操作機器等を制御するようにした制御回路６及び合成ＩＤを位置ＩＤとタグＩＤに変換するようにしたＩＤ回路７とを接続し、さらに前記外部Ｉ／Ｏ制御回路３には生体認証用装置１６が接続され、これに予め個人情報として記録した生体認証用データベース１７を接続するようにして構成する。
この生体認証用データベース１７は、一人一人の個人情報としての生体認証用データを、特に限定されるものではないが、例えば、虹彩、指紋、顔、手のひらの静脈等を生体認証用データとして記録しており、認証用データベース５と同一のデータベースで共用することも可能である。
なお、前記光信号変換回路４は、必要に応じて該コントローラＣＴＬの外部に配置することもできる。
【００１６】
また、コントローラＣＴＬの光信号変換回路４に赤外線発光器８、例えば、赤外線発光ＬＥＤを接続して光信号変換回路４からの位置ＩＤ信号を光信号に変換し赤外線として発光させ、人又は車両等の移動体側、特に限定されるものではないが、例えば、固有ＩＤを有するタグＴを所持している人が、前記赤外線発光器８の赤外線照射エリア内に侵入すると該タグＴにてこの赤外線信号を受光するように構成する。
この赤外線発光器８、例えば、赤外線発光ＬＥＤは、入退場を検知する設定された場所となる１つの仮想ゲートに複数個を配設し、これを１台のコントローラＣＴＬの光信号変換回路４に電気的に接続することができ、さらにはこのように構成した仮想ゲートの複数を配設することができる。
【００１７】
なお、この仮想ゲート内には、入退場に応じて開閉するゲートを配設することもできるが、人や車両が出入りするための開口部を設けただけとすることもできる。ゲートの内側と外側に、ゲート部床面に向かって赤外線を照射するようにそれぞれ複数の赤外線発光器８を配設し、各赤外線発光器８とコントローラＣＴＬの光信号変換回路４間を電気的に接続するようにし、これにより複数の仮想ゲート内の入退場を管理できるようにする。
【００１８】
このタグＴは、人、例えば、作業者等が所持する場合、名札やバッチの如く形成して胸に装着するか、首から吊り下げるようにして外部の赤外線発光器８からの赤外線発光を直接受光できるようにするか、又は車両に装着する場合には、車両のボンネットなど外部からの赤外線発光を受光できるように構成する。
【００１９】
このタグＴの構成は、図１に示すように、１つのケース内に、赤外線発光を受光できるようにした受光フォトダイオード１０と、この受光フォトダイオード１０にて受光した光信号を位置ＩＤに変換するようにした受信回路１１と、この位置ＩＤとタグＩＤ（固有ＩＤ）を合成するようにしたＩＤ合成回路１２と、合成ＩＤを電波及び／又は無線信号に合成する発信回路１３とより構成し、特に限定されるものではないが、前述のように人が携行しやすい大きさ、形状とする。
【００２０】
このタグＴから発信される無線信号を受信するための受信器９を外部の固定側、特に限定されるものではないが、例えば、コントローラＣＴＬの近傍に配置し、かつコントローラＣＴＬと接続し、この受信器９にて受信した無線信号をコントローラＣＴＬの外部Ｉ／Ｏ制御回路３に投入できるように配設して構成する。
この受信器９は１台で複数のタグからの信号を受信するようにすることもできるが、各仮想ゲート毎に１台の受信器９を配設し、各受信器９とコントローラＣＴＬの外部Ｉ／Ｏ制御回路３とを接続するようにすることもできる。
【００２１】
なお、この無線信号の送受信は、特に限定されるものではないが、例えば、ＲＦＩＤ（Radio Frequency Identification（電波方式認識）。本明細書において、「ＲＦＩＤ」という。)にて行うことができる。
【００２２】
また、コントローラＣＴＬの外部Ｉ／Ｏ制御回路３には、必要に応じて人感センサー等の侵入検知センサーＰＳや操作機器２０を接続することができる。
この場合、操作機器２０としては、特に限定されるものではないが、例えば、一時画像蓄積可能としたカメラのほか、警報を発する警報器及び／又は警報灯を備えた報知器、カラーボール投てき器、自動開閉式ゲート、異常発生認承時のみの画像を映し出すようにしたモニタ、電気錠等の各種操作機器の１又は２以上を組み合わせて接続するようにすることができる。
【００２３】
次に、本発明の作用を、この実施例に基づいて説明する。
予め定められた人が指定されたタグを所持して、赤外線発光器８の赤外線照射範囲内で、かつタグによる赤外線の受光エリア内、例えば、仮想ゲート内に侵入すると、該仮想ゲート内には常時コントローラＣＴＬの光信号変換回路４からの位置ＩＤが赤外線信号に変換されて赤外線発光器８、例えば、発光ＬＥＤから発光されているので、この発光ＬＥＤからの位置ＩＤ信号をタグＴの受光フォトダイオード１０にて受光すると、この光信号を受信回路１１にて位置ＩＤに変換し、次いでＩＤ合成回路１２により、この位置ＩＤとタグＩＤ（固有ＩＤ）を合成した合成ＩＤを発信回路１３よりアンテナ１４を介して電波、例えば、無線信号にて発信する。
【００２４】
この無線信号となった合成ＩＤを受信器９のアンテナ１５にて受信し、その受信信号をコントローラＣＴＬ内の外部Ｉ／Ｏ制御回路３に伝達する。この受信した合成ＩＤをコントローラＣＴＬ内のＩＤ変換回路７にて解析し、合成ＩＤを位置ＩＤとタグＩＤ（固有ＩＤ）の信号に分解して認証判定回路２に伝達する。
この認証判定回路２では、タグＩＤと位置ＩＤをキーに認証用データベース５から認証結果を取得して判定し、その判定結果を制御回路６を経て外部Ｉ／Ｏ制御回路３に伝達する。
【００２５】
この外部Ｉ／Ｏ制御回路３には、さらに生体認証用装置１６が接続されているので、この生体認証用装置１６にタグＩＤから得た個人ＩＤを伝達し、認証用データベース１７から個人ＩＤに該当する認証情報を取得して、生体認証用装置１６で得られる生体情報と比較してタグＩＤと生体情報が一致した場合は、本人が所持していると判断し、指定された場所が許可区域であれば、指定された人が指定された正規のタグ所有者として認定し検知情報を終了し、防犯管理用の各種機器２０を操作を停止する。
しかし、位置ＩＤと固有ＩＤの認証用データと生体認証用データとを判定した結果、この両者が一致しない場合は異常と判定し、外部Ｉ／Ｏ制御回路３により、これに接続された防犯管理用の各種機器２０を操作するよう指令する。
【００２６】
このように、タグの不携帯者やタグの不正所持者が侵入するような場合には、外部Ｉ／Ｏ制御回路３による判定結果により防犯管理用の各種の操作機器２０を操作するよう指令を受け、操作されることにより防犯管理を行う。
この操作機器２０として、録画機能を付加した防犯カメラを採用する場合は、常時撮影時点より過去に遡った設定時間分（例えば、１０秒間）のみのリアルタイムの画像を経時的に、かつたれ流し的に録画するようにしているが、外部Ｉ／Ｏ制御回路３による判定結果により異常発生の認承があってその操作指令を受けると、経時的、かつたれ流し的にしていた録画のたれ流しを停止し、その異常発生認承時前の録画映像に加えて、異常発生認承時後の予め設定した所定時間帯（例えば、１０秒間）の画像を、合計２０秒間の画像を不正侵入データとしての録画を保持するようにする。
これにより、タグＴからの異常発生の認承があった場合に、その異常発生認承時前の録画映像に加えて、異常発生認承時後の予め設定した所定時間帯の画像を録画データとして保持するようにしているから、録画及び検知画像数を少なくすることができ、必要な画像の検索及び特定を迅速に行えるので、問題解決或いは事件処理が迅速に行え、かつより高度のセキュリティ管理を行うことができる。
【００２７】
また、防犯管理用機器として警報器を外部Ｉ／Ｏ制御回路３に接続する場合、前記防犯カメラと併用することも可能である。
この警報器としては、警報音を発するベルやブザーを用いることも、さらにはパトライトの如く強力な光を発する発光器を用いることができる。なお、このベルやブザーと発光器とを組み合わせることもできる。
これにより、不正侵入者が仮想ゲート等の管理エリア内に侵入すると警報音や強力な発光にて不正侵入を抑制させるという利点があり、さらには防犯カメラによる画像の蓄積との併用により、必要な画像の検索及び特定を迅速に行えるので、不正侵入後の状況などの把握、問題解決或いは事件処理が迅速に行え、かつより高度のセキュリティ管理を行うことができる。
【００２８】
また、防犯管理用機器としてカラーボール投てき器を採用することができる。このカラーボール投てき器は、仮想ゲート付近などに配設し、その操作回路を、外部Ｉ／Ｏ制御回路３に接続し、これにより、不正侵入者が仮想ゲート等の管理エリア内に侵入すると、その位置を特定してその方向にカラーボール投てき器の投てき方向を定めて所要のカラーボールを投てきするようにする。このようにしてカラーボールが不正侵入者に当たると、該不正侵入者にカラーボールの投てき跡がつき、犯人の特定が不正侵入後においても簡易に行えるようになる。
【００２９】
また、防犯管理用機器として自動開閉式ゲートを採用することができる。この自動開閉式ゲートは、外部Ｉ／Ｏ制御回路３にて検知したＩＤと進入車両が携行するタグＩＤとが一致した場合にのみ、前記自動開閉式ゲートを開くよう指示を与え、ＩＤの不一致の場合は自動開閉式ゲートが開かないように制御する。これにより、不正進入車両の防止を確実に行うことができる。
【００３０】
また、防犯管理用機器として、異常発生認承時のみの画像を映し出すようにしたモニタを採用することができる。防犯カメラによる映像は常にモニタには映写しないようにしておき、コントローラＣＴＬ内の外部Ｉ／Ｏ制御回路３にて異常発生を認承した場合にのみ、モニタにその画像を映し出すようにすることで、管理者は常にモニタを凝視していなくても、モニタが映っているかどうかにて迅速に異常を察知することができ、セキュリティ管理を簡易に行うことができる。
【００３１】
また、防犯管理用機器として電気錠を採用することができる。この電気錠は、コントローラＣＴＬ内の外部Ｉ／Ｏ制御回路３にて開閉するように構成することで、異常発生認承時には電気錠が開かないので、部外者などの不正侵入を未然に防止し、高度のセキュリティ管理を無人にて行うことができる。
【００３２】
なお、前記実施例において、タグＴにて受光した光信号を、位置ＩＤに変換した後、位置ＩＤとタグＩＤを合成ＩＤに変換し、この合成ＩＤをタグ側の発信回路１３から発信する電波の代わりに光信号として発信することもできる。この場合は、受信器９を赤外線などの光信号として受光するようにすることができる。
【００３３】
以上、本発明の入退場管理システムについて、実施例に基づいて説明したが、本発明は上記実施例に記載した構成に限定されるものではなく、その趣旨を逸脱しない範囲において適宜その構成を変更することができるものである。
【産業上の利用可能性】
【００３４】
本発明の入退場管理システムは、タグにて受光した光信号を、位置ＩＤに変換した後、位置ＩＤとタグＩＤを合成ＩＤに変換し、この合成ＩＤを信号として発信し、これを受信器にて受信することによりタグ所有者の特定と位置とを識別し、かつ生体認証デーベースとにより判定するという特性を有していることから、入退場管理システムの用途に好適に用いることができるほか、例えば、病院や福祉施設において徘徊する老人などの監視の用途にも用いることができる。
【図面の簡単な説明】
【００３５】
【図１】本発明の入退場管理システムの一実施例を示すブロックフロー図である。
【符号の説明】
【００３６】
ＣＴＬ  コントローラ
Ｔ    タグ
ＣＰＵ  計算機
１    位置ＩＤ生成回路
２    認証判定回路
３    外部Ｉ／Ｏ制御回路
４    光信号変換回路
５    認証用データベース
６    制御回路
７    ＩＤ回路
８    赤外線発光器
９    受信器
１０  受光フォトダイオード
１１  受信回路
１２  ＩＤ合成回路
１３  発信回路  
１４  アンテナ
１５  アンテナ
１６  生体認証用装置
１７  生体認証用データベース
２０  各種の操作機器
【図１】
2006119775.tif 000003
【手続補正書】
【提出日】平成16年10月21日(2004.10.21)
【手続補正１】
【補正対象書類名】図面
【補正対象項目名】図１
【補正方法】変更
【補正の内容】
【図１】
2006119775.tif 000004